(57)【要約】      （修正有）【課題】鞄本体の一部の生地を簡単に取り替えることにより鞄の模様を変化させ、しかも取り替えた生地の風合いも実感できる立体的で個性豊かな鞄を提供する。【解決手段】鞄表面の一部生地を刳り抜く、取り替え用生地が鞄の中から前記刳り抜いた部分に被せ、この取り替え用生地を鞄の外部から見えるように構成することによって解決することができる。【選択図】図３
0003161801.tif 000002
【実用新案登録請求の範囲】
【請求項１】
取り替え用生地を鞄に装着するため、鞄表面の少なくとも一部生地を刳り抜く、取り替え用生地が鞄の中から前記刳り抜いた部分に被せ、この取り替え用生地を鞄の外部から見えるように構成したことを特徴とする鞄。
【請求項２】
前記取り替え用生地を鞄本体に装着し易くように、鞄本体に１８０度まで開くこと可能な取り替え生地装着用スペースを設けた請求１に記載の鞄。
【請求項３】
前記取り替え用生地が、２層以上の生地で構成されており、最表面側の取り替え用生地が、型抜きデザイン加工された生地である請求項１また２に記載の鞄。
【請求項４】
前記取り替え用生地を鞄本体に留め具を用いて装着する請求項１〜３に記載の鞄。
【請求項５】
前記取り替え用生地は洗濯できる生地を用いる請求項１〜４のいずれかに記載の鞄。
【請求項６】
前記鞄の裏地として、防水加工された生地を用いる請求項１〜５のいずれかに記載の鞄。
【考案の詳細な説明】
【技術分野】
【０００１】  本考案は、様々な生地を取り替えることによって鞄本体の模様が変化できる鞄に関するものである。
【背景技術】
【０００２】  鞄表面の模様は通常変化できないが、近年では、個性的な鞄を持ちたいという需要があり、鞄表面の模様を変化させることが望まれている。鞄表面の模様が変化可能にした鞄として、特許文献１の鞄が知られている。この特許文献１の鞄は、透視可能な素材で本体と内袋を構成させ、透視可能な部分に装飾用素材を収容することにより鞄本体の模様を変化させている。しかしながら、装飾素材の模様が外部から見えるように鞄の本体は透視可能な素材に限定されているため、模様の変化は平面的であり、立体的な模様変化は実現できない。【０００３】  立体的な模様変化を実現した鞄として、鞄の表面に装飾窓を設けた鞄が考案されている（特許文献２）。この装飾窓は、透明素材で構成されており、装飾窓の中に小さなマスコット等を入れることによって鞄の模様を変化させている。しかしながら、特許文献２のような鞄に取り付けられた透明な装飾窓はショーウィンドーのように中身を外部から見ることができても、中身を実際に触ることができない。そのため装飾窓の中に入れたマスコット等の風合いを実感できない。
【先行技術文献】
【特許文献】
【０００４】
【特許文献１】特開２００５−２７１９６１号  公報
【特許文献２】実用新案登録第３１０２２１４号  公報
【考案の概要】
【考案が解決しようとする課題】
【０００５】  本考案で解決しようとする課題は、鞄本体の一部の生地を簡単に取り替えることにより鞄の模様を変化させ、しかも取り替えた生地の風合いも実感できる立体的で個性豊かな鞄を提供することである。
【課題を解決するための手段】
【０００６】  上記課題の解決手段としては、鞄表面の一部生地を刳り抜く、取り替え用生地が鞄の中から前記刳り抜いた部分に被せ、この取り替え用生地を鞄の外部から見えるように構成することによって解決することができる。
前記取り替え用生地を鞄本体に装着し易くように、鞄本体に１８０度開くこと可能な取り替え生地装着用スペースを設けることが好ましい。
前記替え用生地は、２層以上の生地で構成されており、最表面側の取り替え用生地が、型抜きデザインをされた生地であることが好ましい。
前記取り替え用生地を鞄本体に簡単にしっかり装着する為、鞄本体に留め具を用いて装着することが好ましい。
汚れた取り替え用生地を洗濯する為に、該当生地は洗濯できる生地を用いることが推奨される。
前記鞄の裏地としては、防水加工された生地を用いることが推奨される。
【考案の効果】
【０００７】  本考案は、鞄表面の一部生地を刳り抜く、取り替え用生地をこの刳り抜いた部分に被せることによって、鞄本体の一部の生地を簡単に変化させることができる。また本考案の鞄に装着した取り替え用生地の表面に透明素材が被せられていない。そのため、取り替えた生地本来の風合いを感じることができる。
【図面の簡単な説明】
【０００８】
【図１】（ａ）取り替え用生地を未装着時の鞄の斜視図である。（ｂ）取り替え用生地を装着した時の鞄の斜視図である。（ｃ）取り替え用生地を未装着時の鞄本体にある取り替え生地装着用スペースが開いた状態の斜視図である。（ｄ）取り替え用生地を装着した時の鞄本体にある取り替え生地装着用スペースが開いた状態の斜視図である。
【図２】（ａ）取り替え用型抜きデザイン生地の正面図である。（ｂ）取り替え用型抜きデザイン生地の背面図である。（ｃ）取り替え用ベース生地の正面図である。（ｄ）取り替え用ベース生地が型抜きデザイン生地と合併する時の様子を説明する為の見取り図である。（ｅ）取り替え用ベース生地が型抜きデザイン生地と合併することによりなったｂ３の正面図である。
【図３】（ａ）取り替え用ベース生地が型抜きデザイン生地と合併することによりなったｂ３を鞄本体に装着する時の様子を説明するための斜視図である。（ｂ）取り替え用生地はベース生地のみの場合、ベース生地を鞄本体に装着する時の様子を説明するための斜視図である。（ｃ）取り替え用生地はベース生地のみを装着した鞄の斜視図である。
【図４】（ａ）実施例２に示した取り替え用生地を装着した鞄の正面図であり、薔薇形にした取り替え用型抜きデザイン生地と無地のベース生地の正面図である。（ｂ）実施例３に示した鞄表面に刳り抜いた部分を六角形にした鞄の正面図である。（ｃ）実施例３に示した取り替え用生地が装着された被せ蓋式鞄の斜視図である。（ｄ）実施例３に示した取り替え用生地を被せ蓋式鞄に装着する時の様子を説明するための斜視図である。
【考案を実施するための形態】
【０００９】  本考案の鞄について、図面に基づいて説明する。
【実施例１】
【００１０】  以下に、本考案の鞄の主要構成である鞄の本体と取り替え用生地について詳述する。
図１は、鞄の正面に刳り抜いた部分を矩形にした鞄を示しており、（ａ）は取り替え用生地を未装着時の鞄の斜視図、（ｂ）取り替え用生地を装着した時の鞄の斜視図、（ｃ）は取り替え用生地を鞄に未装着時の鞄本体にある取り替え生地装着用スペースが開いた状態の斜視図、（ｄ）は取り替え用生地を装着した時の鞄本体にある取り替え生地装着用スペースが開いた状態の斜視図を示している。
図１の（ｃ）に示すように、鞄本体にある取り替え用生地装着用スペースはａ１とａ２を二つに分けてある。ａ１は取り替え用生地を装着しない部分、ここにファスナー付のポケットを設けている為、携帯電話などの小物を収納できる。ａ２は取り替え用生地を装着する部分であり、またこの部分の背面は鞄の表面である。鞄の外部から取り替え用生地が見えるように、ａ２の一部生地が刳り抜かれている、刳り抜かれた部分ａ５の周りにマジックテープａ６が取り付けられている、マジックテープａ６が取り付けられた理由は図３を用いて説明する。
また取り替え生地装着用ペースを開閉する為、ファスナーａ４が設けられている、ファスナーａ４は鞄の底まで延ばしているので、上記スペースを１８０度開けることができる。そのため、取り替え用生地を鞄本体に装着し易くなる。なお、取り替え生地装着用スペースを開閉用道具は特に限定されず、ファスナー以外にマジックテープやボタン類を用いてもよい。
図２は取り替え用生地の構成を示している。（ａ）は取り替え用型抜きデザイン生地ｂ１の正面図、（ｂ）は取り替え用型抜きデザイン生地ｂ１の背面図、（ｃ）は取り替え用ベース生地ｂ２の正面図、（ｄ）は取り替え用ベース生地ｂ２が型抜きデザイン生地ｂ１と合併する時の様子を説明する為の見取り図である、（ｅ）は取り替え用ベース生地が型抜きデザイン生地と合併することによりなったｂ３の正面図を示している。
取り替え用型抜きデザイン生地ｂ１の正面にマジックテープｂ５、ｂ１の背面にマジックテープｂ６、また取り替え用ベース生地ｂ２の正面にマジックテープｂ７が取り付けられている。
図２の（ｄ）と（ｅ）に示すように、取り替え用型抜きデザイン生地ｂ１をベース生地ｂ２の上に重ねて、ｂ１の背面にあるマジックテープｂ６（フック面）とｂ２の正面にあるマジックテープｂ７（ループ面）を貼り合わせることにより、ｂ３になる。
図３の（ａ）に示しているのは、取り替え用型抜きデザイン生地がベース生地と合併することによりなったｂ３の正面にあるマジックテープｂ５（ループ面）と鞄本体の取り替え生地装着用スペースのａ２部分にあるマジックテープａ６（フック面）を貼り合わせるとこにより、取り替え用生地を鞄に装着するとこができた。
最後にファスナーａ４を閉めれば、鞄表面の一部生地を取り替えることができた。【００１１】  取り替え用生地を固定するための留め具は、マジックテープに限定されるものではなく、例えば、スナップボタンやホックなどを用いることができる。また、これらを組み合わせて用いてもよい。【００１２】  図１の（ｂ）はクローバーデザインの取り替え用型抜き生地と熱帯魚デザインのベース生地が装着された鞄を示したが、図４の（ａ）は薔薇ザインの取り替え用型抜き生地ｃ１と無地のベース生地ｃ２が装着された鞄を示した、このように取り替え用生地の種類や模様を替えることによって、鞄本体の一部生地を簡単に変化させることができる。そのため、鞄の持ち主の好みにより、様々な型抜きデザイン生地とベース生地を鞄本体に装着することができる。【００１３】  図３の（ｂ）と（ｃ）に示すように、取り替え用型抜きデザイン生地ｂ１を省略し、ベース生地ｂ２のみを用いてもよい。また、型抜きデザイン生地を一枚用いたが、２枚以上用いてもよく、異なる模様の生地を重ね合わせることによって、立体的な模様を形成できる。
【実施例２】
【００１４】  図４の（ｂ）は、鞄本体の刳り抜いた部分の形を六角形にした構成例を示している。なお、鞄本体の刳り抜いた部分の形を様々なデザインに変更してもよい、例えば、円形、矩形（正方形や長方形など）、多角形、星型、ハート型、クローバー型、スペード型など。
【実施例３】
【００１５】  図４の（ｃ）と（ｄ）に示すように、被せ蓋式の鞄の正面生地は殆ど蓋に被された状態になっているので、取り替え用生地を装着する場所は蓋の表に変更する。
上記鞄の構成では、蓋ｄ１表面の一部生地を刳り抜いて、蓋ｄ１の内部に取り替え生地装着用スペースを設け、取り替え用生地ｄ２が蓋の内部から蓋の刳り抜いた部分を塞ぐことにより、蓋表面の一部生地を変化させることができた。
なお、生地の取り替え式鞄は実施例１と実施例３のような種類の鞄以外にトートバッグ、手提げバッグ、リュックサック、ショルダーバッグ、ビジネスバッグなど様々な種類の鞄にしてもよい。
【実施例４】
【００１６】  取り替え用生地の種類は特に限定されず、プリント生地と無地の生地の他、刺繍を施した生地を用いてもよい。生地の素材は天然繊維（綿、麻、絹など）、化学繊維（ポリエステル、ナイロン、金属繊維など）、合成皮革、本革など。【００１７】  鞄の本体は洗濯できませんが、取り替え用生地は洗濯できる生地で作れば、汚れた取り替え用生地を鞄の本体から取り外し、きれいに洗濯した後に、また鞄本体に装着すればよい。
【実施例５】
【００１８】  上記図１〜図４では、鞄正面の一部生地を取り替えることになった例を示したが、本考案はこれに限定されるものではなく、鞄の背面には正面と同じ取り替え仕様にしてもよい。
また、正面と背面の生地を刳り抜いた形状は、同一であってもよいし、異なっていてもよい。
また、正面と背面に取り替える生地の種類は、同一であってもよし、異なっていてもよい。
【符号の説明】
【００１９】１    実施例１を示した鞄の本体
２    実施例２を示した鞄（取り替え用生地を鞄本体に装着済み）
３    実施例３を示した鞄の本体
ａ１  鞄の取り替え生地装着用スペースの取り替え用生地を装着しない部分
ａ２  鞄の取り替え生地装着用スペースの取り替え用生地を装着する部分
ａ３  取り替え生地装着用スペースに設けている小物収納用ポケット
ａ４  取り替え生地装着用スペースを開閉する為のファスナー
ａ５  鞄本体の刳り抜いた部分
ａ６  取り替え生地装着を鞄に固定する為の鞄本体にあるマジックテープ（フック面）
ｂ１  取り替え用型抜きデザイン生地
ｂ２  取り替え用ベース生地
ｂ３  取り替え用ベース生地が型抜きデザイン生地と合併することによりなった物
ｂ４  取り替え用型抜きデザイン生地の透かし彫り部分
ｂ５  取り替え用型抜きデザイン生地の正面にあるマジックテープ（ループ面）
ｂ６  取り替え用型抜きデザイン生地の背面にあるマジックテープ（フック面）
ｂ７  取り替え用ベース生地の正面にあるマジックテープ（ループ面）
ｃ１  薔薇のデザインにした取り替え用型抜きデザイン生地
ｃ２  無地の取り替え用ベース生地
ｄ１  実施例３を示した鞄の蓋部分
ｄ２  実施例３を示した鞄に装着する用取り替え生地
【図１】
0003161801.tif 000003
【図２】
0003161801.tif 000004
【図３】
0003161801.tif 000005
【図４】
0003161801.tif 000006